(57)【特許請求の範囲】
【請求項１】
表紙などの被取付体に取り付けられる基台と、
前記基台と略平行な状態で移動し且つ被綴じ物を押圧するように前記基台に取り付けられた挟持体と、
前記基台に支持軸にて枢支されることにより回動自在に取り付けられ、前記挟持体を前記基台と略平行な状態で移動させ且つ被綴じ物を押圧させるように形成された操作レバーとを有する綴じ具であって、
前記操作レバーの枢支位置より離れた位置において前記操作レバーの長手方向に沿ってスライドするように前記操作レバーに取り付けられた係止部位を有する移動部材と、
前記操作レバーの先端部において前記操作レバーの長手方向に押圧することにより前記移動部材全体を前記操作レバーの枢支位置方向にスライドさせる操作部位と、
前記移動部材の前記係止部位を係止するように前記基台に形成された係止部とを備え、
前記移動部材の前記操作部位を前記操作レバーの長手方向に押圧することにより前記係止部から前記移動部材の前記係止部位が離脱することを特徴とする、綴じ具。
【請求項２】
前記移動部材は、弾力により前記操作レバーの長手方向の先端側に移動するように形成され、
前記移動部材が前記操作レバーの長手方向の先端側に移動することにより、前記移動部材の前記係止部位が前記基台の係止部と係止するように形成された、請求項１に記載の綴じ具。
【請求項３】
前記移動部材は、前記操作レバーの中空部内に設けられ、前記操作レバーの外周面より突出する操作部位と、前記操作部位より後方において形成された移動部位と、前記移動部位より前方に形成された係止部位とを備え、
前記操作部位と移動部位と係止部位とは弾性を有する材で一体成形され、
前記移動部位は、
前記移動部材の係止部位と前記基台の係止部とが離脱したとき前記操作レバーの一部と係合して前記移動部材の移動を規制するとともに、前記移動部材の係止部位と前記基台の係止部とを係止させるとき、前記操作レバーの一部との係合を脱するように形成された規制部と、
前記操作レバーとの係合から離脱し復元するとき、前記移動部材全体を移動部材の係止部位と前記基台の係止部とを係止させる方向に移動させるように形成された移動部とを備えた、請求項１または請求項２に記載の綴じ具。
【請求項４】
前記操作レバーは、
前記移動部材の移動部位と係合し、移動部材の移動を規制する引掛部と、
前記移動部材の係止部位と前記基台の係止部とを係止させるとき、前記引掛部から前記移動部材の移動部位を離脱させるように形成され、離脱された前記移動部材の突出部位が復元するとき、前記移動部材の移動部位を移動させるように形成された摺動部とを備えた、請求項３に記載の綴じ具。
【請求項５】
前記移動部材の前記操作部位の前記基台側端部が、前記操作レバーの長手方向に向かって突出するように形成されたことを特徴とする、請求項１ないし請求項４のいずれかに記載の綴じ具。
【発明の詳細な説明】
【０００１】
【発明の属する技術分野】
この発明は綴じ具に関し、特にたとえば、ファイルに取り付けられて書類などを挟持することにより綴じ込むための綴じ具に関する。
【０００２】
【従来の技術】
図２４は従来の綴じ具の一例を示す斜視図である。綴じ具１は、金属板などで形成される基台２を含む。基台２の幅方向の一端には、直立体３が形成される。また、基台２には、直立体３に平行して、３つの支持板４が形成される。直立体３から２つの支持板４に形成された貫通孔を通って、支持アーム５が回転自在に取り付けられる。支持アーム５は折り曲げられた形状を有し、支持アーム５が回転することにより、その先端部が円弧を描くように移動する。この支持アーム５の先端部に、長方形状の挟持体６が取り付けられる。したがって、支持アーム５が直立体３および支持板４を中心として回転すると、その先端部が円弧を描くように移動し、挟持体６が基台２に対して開閉するように移動する。
【０００３】
さらに、直立体３と１つの支持板４との間に支持軸７が形成され、この支持軸７にバネ部材８が巻回されるようにして取り付けられる。このバネ部材８の一端側が、支持軸７部分から延びて挟持体６の中央部に接続される。また、バネ部材８の他端側には、操作レバー９が取り付けられる。直立体３の側面には、図２４に示すように、突起３ａが形成される。この突起３ａに対応する部分において、操作レバー９の側面に係止孔９ａが形成される。そして、操作レバー９を倒した状態で、操作レバー９の係止孔９ａに直立体３の突起３ａを嵌めることにより、挟持体６が倒れた状態で係止される。したがって、操作レバー９を操作することにより、バネ部材８の一端側が円弧を描くように移動し、挟持体６が開閉する。そして、挟持体６が閉じたとき、バネ部材８によって、挟持体６が基台２側に付勢される。
【０００４】
この綴じ具１は、ファイルなどの内側に取り付けられ、書類などを保持するために用いられる。このとき、操作レバー９の操作により、挟持体６が開閉する。そして、書類などを挟持体６で挟持したとき、バネ部材８の力により、書類などが挟持体６と基台２との間で保持される。
【０００５】
【発明が解決しようとする課題】
このような綴じ具１では、操作レバー９の操作により挟持体６が開閉するように構成されている。しかしながら、挟持体６を閉じるときは、操作レバー９の上部から操作レバー９を基台２に向けて押し下げたのち、直立体３の側面に形成された突起３ａに向けて、操作レバー９の側面に形成された係止孔９ａを係止させるために操作レバー９を水平方向に移動させる必要がある。
また、挟持体６を開くときは、操作レバー９の先端を基台２に向けて指で押し下げて直立体３の側面に形成された突起３ａより操作レバー９の側面に形成された係止孔９ａを離脱させ、その後、操作レバー９を直立体３より離れる方向に向けて略水平に移動させる必要がある。
この綴じ具１では、特に綴じられる書類の量が多いとき、操作レバー９にバネ部材８からの力がかかり、操作レバー９を基台２の表面側に向けて押し下げるのに相当な力がかかる。さらに、直立体３の側面に形成された突起３ａに操作レバー９の側面に形成された係止孔９ａを係止させるための操作をしなければならないため、操作レバー９の操作に多くの力を要し、複雑な操作故に書類などを挟持体６で挟持するとき、面倒である。
また、操作レバー９の操作により挟持体６を開くときも、逆の動作を必要とし、同様な問題がある。
そのために、操作レバーの単純な操作により、挟持体を開閉させて、書類などの被綴じ物を綴じたり、外したりすることができる、綴じ具が望まれている。
【０００６】
この発明は、かかる問題を解決するためになされたもので、この発明の主たる目的は、操作レバーの単純な操作により、挟持体を開閉させて、書類などの被綴じ物を綴じたり、外したりすることができる、綴じ具を提供することである。
【０００７】
【課題を解決するための手段】
この発明の請求項１に記載の綴じ具は、表紙などの被取付体に取り付けられる基台と、基台と略平行な状態で移動し且つ被綴じ物を押圧するように基台に取り付けられた挟持体と、基台に支持軸にて枢支されることにより回動自在に取り付けられ、挟持体を基台と略平行な状態で移動させ且つ被綴じ物を押圧させるように形成された操作レバーとを有する綴じ具であって、操作レバーの枢支位置より離れた位置において操作レバーの長手方向に沿ってスライドするように操作レバーに取り付けられた係止部位を有する移動部材と、操作レバーの先端部において操作レバーの長手方向に押圧することにより移動部材全体を操作レバーの枢支位置方向にスライドさせる操作部位と、移動部材の係止部位を係止するように基台に形成された係止部とを備え、移動部材の操作部位を操作レバーの長手方向に押圧することにより係止部から移動部材の係止部位が離脱することを特徴とする、綴じ具である。
この発明の請求項２に記載の綴じ具は、移動部材は、弾力により操作レバーの長手方向の先端側に移動するように形成され、移動部材が操作レバーの長手方向の先端側に移動することにより、移動部材の係止部位が基台の係止部と係止するように形成された、請求項１に記載の綴じ具である。
この発明の請求項３に記載の綴じ具は、移動部材は、操作レバーの中空部内に設けられ、操作レバーの外周面より突出する操作部位と、操作部位より後方において形成された移動部位と、移動部位より前方に形成された係止部位とを備え、操作部位と移動部位と係止部位とは弾性を有する材で一体成形され、移動部位は、移動部材の係止部位と基台の係止部とが離脱したとき操作レバーの一部と係合して移動部材の移動を規制するとともに、移動部材の係止部位と基台の係止部とを係止させるとき、操作レバーの一部との係合を脱するように形成された規制部と、操作レバーとの係合から離脱し復元するとき、移動部材全体を移動部材の係止部位と基台の係止部とを係止させる方向に移動させるように形成された移動部とを備えた、請求項１または請求項２に記載の綴じ具である。
この発明の請求項４に記載の綴じ具は、操作レバーは、移動部材の移動部位と係合し、移動部材の移動を規制する引掛部と、移動部材の係止部位と基台の係止部とを係止させるとき、引掛部から移動部材の移動部位を離脱させるように形成され、離脱された移動部材の突出部位が復元するとき、移動部材の移動部位を移動させるように形成された摺動部とを備えた、請求項３に記載の綴じ具である。
この発明の請求項５に記載の綴じ具は、移動部材の操作部位の基台側端部が、操作レバーの長手方向に向かって突出するように形成されたことを特徴とする、請求項１ないし請求項４のいずれかに記載の綴じ具である。
【０００８】
【発明の効果】
請求項１の発明によれば、係止部位を有する移動部材が、操作レバーの長手方向に沿ってスライドするように取り付けられる。そして、基台に形成された係止部に移動部材の係止部位が係止されているとき、操作レバーの先端部において、移動部材の操作部位を操作レバーの長手方向に押圧するという単純な動作により、移動部材が操作レバーの長手方向にスライドして係止部から係止部位が離脱し、操作レバーを回転させることにより挟持体を開くことができる。
請求項２の発明によれば、移動部材は、弾力により操作レバーの長手方向の先端側に移動するように形成されているため、操作レバーを押し下げることにより、移動部材が操作レバーの先端側に移動して、移動部材の係止部位が基台の係止部に係止され、挟持体が閉じた状態を保つことができる。
請求項３の発明によれば、操作レバーの外周面より突出する操作部位を人が指で押すことができるように形成されているので、操作部位を押すことにより移動部材を移動させることができ、単純な動作により挟持体の開閉を行うことができる。
請求項４の発明によれば、移動部材の係止部位と基台の係止部とを係止させるとき、操作レバーの移動部材を操作することにより、操作レバーの引掛部から移動部材の移動部位を離脱させることができる。そして、離脱した移動部材の突出部位が復元するとき、移動部材の移動部位を移動させることができるので、単純な動作により移動部材の係止部位と基台の係止部とを係止することができる。
請求項５の発明によれば、移動部材の先端の操作部位を押すことによって、移動部材の係止部位が係止部から離脱し、操作レバーを開くことができる。このとき、移動部材の操作部位の基台側端部が突出するように形成されているため、この突出片に指がかかり、操作レバーの跳ね上がりを抑えることができる。
【０００９】
この発明の上述の目的，その他の目的，特徴および利点は、図面を参照して行う以下の発明の実施の形態の詳細な説明から一層明らかとなろう。
【００１０】
【発明の実施の形態】
図１は、この発明の一実施の形態である綴じ具の平面図である。
図２は図１図示綴じ具の背面図であり、図３は図１図示綴じ具の正面図であり、図４は図１図示綴じ具の右側面図であり、図５は図１図示綴じ具の要部の側面図である。
綴じ具１０は、たとえば金属板などで方形板状に形成される基台１２を含む。基台１２の幅方向の一端には、直立体１４が形成される。直立体１４は、基台１２の長手方向の一端側から他端側に向かって、基台１２に対して直立するように形成される。
【００１１】
また、基台１２には、直立体１４に平行して、３つの支持板１６，１８，２０が形成される。支持板１６，１８，２０は、たとえば基台１２の一部に切れ目を形成し、切れ目を形成した部分を基台１２上に起こすことによって形成される。これらの支持板１６，１８，２０には、貫通孔が形成される。直立体１４から支持板１６，１８の貫通孔を通るようにして、支持アーム２２，２４が形成される。支持アーム２２，２４は、支持板１６，１８部分で折れ曲がって支持板１６，１８の面に平行するように延び、さらに折れ曲がって先端部が支持板１６，１８の面にほぼ直交する向きとなるように形成される。支持アーム２２，２４は、直立体１４および支持板１６，１８の支持部分を支点として、回転可能に取り付けられる。したがって、支持アーム２２，２４が回転することにより、その先端部は円弧を描くようにして移動する。
【００１２】
支持アーム２２，２４の先端部には、挟持体２６が取り付けられる。挟持体２６は、長方形状に形成され、基台１２との間に書類などの被綴じ物Ａを挟み込むことによって、書類などの被綴じ物Ａを保持するためのものである。
この挟持体２６の長手方向の両端側において、挟持体２６の貫通孔に支持アーム２２，２４の先端部が回動自在に取り付けられる。さらに、直立体１４と他の１つの支持板２０との間には、支持軸２８が取り付けられる。この支持軸２８に巻回するようにして、図６に示すように，ネジリコイルバネからなるバネ部材３０が回転可能に取り付けられる。
【００１３】
バネ部材３０は、その一端側が支持板２０の面に平行に延び、さらに折れ曲がって支持板２０の面にほぼ直交するように形成される。そして、バネ部材３０の一端側が、挟持体２６の貫通孔に回転自在に接続される。
さらに、支持軸２８には、操作レバー３２が枢支される。操作レバー３２には、バネ部材３０の他端側が接続される。そして、バネ部材３０の他端側は、図６に示すように、操作レバー３２の上壁３２ａの下面に設けられたバネ止め３２ｆによって固定されている。
そして、操作レバー３２は、それが倒れた状態において、支持軸２８部分から支持軸２８に対して遠い位置にある基台１２の端部まで延びるように形成されている。
【００１４】
操作レバー３２には、その先端に、操作レバー３２の長手方向に沿ってスライド自在に、移動部材たるスライド部材５０が取り付けられている。
操作レバー３２は、人が手の指で操作して基台１２に向けて回動させ、スライド部材５０を基台１２へ係止することができるように形成されている。このとき、操作レバー３２は、基台１２と略平行な位置において固定され、それによって、挟持体２６が書類等の被綴じ物Ａを基台１２に押圧し、基台１２と挟持体２６との間に被綴じ物Ａが挟持されるように構成されている。すなわち、操作レバー３２を回動させることにより、挟持体２６を閉じた状態とすることができるように構成されている。
そして、スライド部材５０の一部を基台１２の一部と係止された状態から離脱させることにより、操作レバー３２を開いて挟持体２６を開いた状態とすることができるように構成されている。このとき、スライド部材５０を人が手の指で操作して、スライド部材５０を操作レバー３２の前方（操作レバー３２を枢支する支持軸２８を中心として支持軸２８よりも操作レバー３２の先端側に向かう方向を前方という。以下同様とする。）から後方（操作レバー３２の先端より操作レバー３２を枢支する支持軸２８側に向かう方向を後方という。以下同様とする。）に向けて押すことにより、スライド部材５０が基台１２に係止された状態から離脱し、挟持体２６をバネ部材３０の弾発力により開いた状態とすることができるように構成されている。
【００１５】
スライド部材５０は、基台１２に固定された支持軸２８にて枢支されている操作レバー３２の枢支位置より離れた位置において、操作レバー３２の長手方向に沿ってスライドするように、操作レバー３２の中空部内に取り付けられている。そして、スライド部材５０は、図７に示すように、操作レバー３２の外周面より突出した操作部位５２と、突出部位たる操作部位５２より後方において形成された弾発性を有する移動部位５４と、その移動部位５４より前方において形成された、基台１２と係止する係止部位５６とを備える。そして、前記操作部位５２と移動部位５４と係止部位５６とは、弾性を有する合成樹脂、たとえばＡＢＳ、ポリアセタールなどによって一体成形されている。このスライド部材５０は、操作レバー３２より突出したスライド部材５０の操作部位５２を人が手の指で押すことにより、操作レバー３２の内側に向けてスライドさせることができる。
【００１６】
操作レバー３２は、全体が細長い略角柱状に形成される。この操作レバー３２の内部においては、前方側が中空部を有する上壁３２ａ、下壁３２ｂ、右壁３２ｃ、左壁３２ｄで囲繞された横断面ロ字形で、後方側が上壁３２ａ、右壁３２ｃ、左壁３２ｄで囲まれた横断面コ字形であり、合成樹脂をもって成形されている。
そして、操作レバー３２の先端側（すなわち、支持軸２８に枢支された側とは反対側）においては、正面ロ字形の中空部が開口され、その開口された部位にスライド部材５０が嵌挿される。そして、スライド部材５０の操作部位５２が操作レバー３２の先端の開口部より前方に向けて突出した状態で、スライド部材５０がスライド自在に固定されている。この実施の形態においては、操作レバー３２の先端の上壁３２ａは、やや後方に向けて平面円弧状に切り欠かれ（凹まされ）ている。それにより、人が指でスライド部材５０の操作部位５２を押すとき、より後方に押すことが容易となるとともに、切り欠かれた部分に指が嵌まり、指で操作レバー３２を押さえた状態を維持できるので、操作レバー３２がバネ部材３０の弾発力により不用意にはね上がることがないように構成されている。
【００１７】
スライド部材５０は断面方形状の基部６０を有し、基部６０は操作レバー３２の断面ロ字形の中空部の幅（横断方向の幅）と近い幅であって、断面ロ字形の中空部の高さと近い高さに成形される。そして、基部６０の側面６２ａおよび側面６２ｂが、長手方向（操作レバー３２の長手方向に沿った方向）に連続した平面を備え、スライド部材５０が操作レバー３２の中空部内を操作レバー３２の長手方向に沿ってスライドすることができるように構成されている。
【００１８】
スライド部材５０においては、基部６０の前方上部より断面略嘴状の操作部位５２が前方に向けて突き出し設けられ、操作部位５２の基部６０側より前方に行くに従って下方に垂れ下がるように形成される。そして、操作部位５２の基部６０から突出した突出部位５２ａの上面は、基部６０の上面と連なる平面状に形成され、操作レバー３２の上壁３２ａの下表面と摺動するように構成されている。そして、操作部位５２を構成する垂れ下がり部５２ｂの前方外表面を人が指で押すことができるように構成されている。
【００１９】
スライド部材５０の移動部位５４は、基部６０の後方下部（後端下部）より後方に向けて突き出し設けられた断面略鶴首状であって、基部６０の平面状の下面と連なる平面を備え、操作レバー３２の下壁３２ｂ上面（詳しくは後に説明する。）と接し、摺動することができるように構成されている。
移動部位５４は、基部６０から後方に向けて突き出された突出部５４ａを備え、その突出部５４ａは、後方に至るに従って上方に向けて（操作レバー３２の上壁３２ａに向けて）湾曲する。
すなわち、突出部５４ａは、その中央において湾曲して、常時は縮む方向に付勢されるように形成された弾性体からなる。
この突出部５４ａの先端に略三角形状の頭部が連続して一体的に形成され、その首部の突出部５４ａの下面（操作レバー３２の下壁３２ｂ側）より下方向（操作レバー３２の下壁３２ｂ側方向）に向けて、垂直平面からなる規制部５４ｂが形成されている。
規制部５４ｂは、スライド部材５０の係止部位５６が基台１２の係止部４０から離脱したとき、操作レバー３２の下壁３２ｂに形成された引掛部３４と係合してスライド部材５０の移動を規制するとともに、スライド部材５０の係止部位５６が基台１２の係止部４０と係止したとき、操作レバー３２の下壁３２ｂに形成された引掛部３６との係合を外れるように形成されている。
【００２０】
スライド部材５０の移動部位５４においては、突出部５４ａの先端に形成された頭部下面（操作レバー３２の下壁３２ｂ側の面）に、前記規制部５４ｂと連続して後方に至るに従って斜め上方に向けて（操作レバー３２の上壁３２ａに向けて）傾斜する（上昇する）斜面からなる移動部５４ｃが形成されている。
移動部５４ｃは、前記規制部５４ｂを構成する垂直平面と鋭角状に交差する平面からなる。そして、スライド部材５０の移動部位５４の規制部５４ｂが操作レバー３２の下壁３２ｂに形成された引掛部３６から離脱したとき、移動部位５４の突出部５４ａが元の状態に復元するように（伸びていた突出部５４ａが前方に向けて曲がるように）形成される。さらに、前記突出部５４ａが復元するとき、スライド部材５０全体が、スライド部材５０の係止部材５６と基台１２の係止部４０とを係止させる方向に摺動して移動するように形成されている。
【００２１】
操作レバー３２の下壁３２ｂ上面には、図９に示すように、移動部位５４の移動を規制するために、操作レバー３２の幅方向に連続して形成された垂直面からなる引掛部３６が形成されている。また、操作レバー３２の下壁３２ｂ上面には、スライド部材５０の移動部位５４の移動を容易にするために、該引掛部３６に連続して前方に向けて形成された斜面からなる摺動部３４とが形成されている。
摺動部３４は、操作レバー３２の幅方向に連続して形成され、前方に向かうに従って下降する斜面からなる。
さらに、基台１２には、操作レバー３２の下壁３２ｂに形成された引掛部３６および摺動部３４と協働してスライド部材５０の移動部位５４を摺動させるとともに、移動部位５４の規制部５４ｂと操作レバー３２の下壁３２ｂに形成された引掛部３４との係合を離脱させるために、離脱摺動体３８が形成されている。
離脱摺動体３８は、操作レバー３２の下壁３２ｂに形成された引掛部３６の後方近傍において、操作レバー３２の中空部内の上方に向けて突出するように、基台１２に立設されている。
【００２２】
この離脱摺動体３８は、図８に示すように、基台１２の一部に切り目を形成し、切れ目を形成した部分を基台１２上に略垂直に起こすことによって形成され、基台１２に垂直に立設された垂直部３８ａと、それに連続した斜面部３８ｂとを備える。そして、斜面部３８ｂは、前記操作レバー３２の下壁３２ｂに形成された摺動部３４を構成する斜面に連続するように形成されている。
この離脱摺動体３８は、基台１２の幅方向（操作レバー３２の幅方向と一致する方向）に伸びる板状体で、斜面部３８ｂも幅方向に伸びる板状体からなる。
そして、離脱摺動体３８の垂直部３８ａは、操作レバー３２を閉じた状態において（操作レバー３２の下壁３２ｂと基台１２とは略平行になった状態において）、操作レバー３２の下壁３２ｂに形成された摺動部３４の最高端（最上端）であって、引掛部３６の最上端よりやや上方に位置する高さを備えている。離脱摺動体３８の斜面部３８ｂは、垂直部３８ａの最上端より後方に向けて突き出し形成され、操作レバー３２の下壁３２ｂと基台１２とが略平行となった位置（操作レバー３２を閉じた位置）において、スライド部材５０の移動部位５４の移動部５４ｃが摺動するように形成された斜面が形成されている。
【００２３】
スライド部材５０の係止部位５６は、図７に示すように、基部６０の前方部位より下部下方向に（基台１２に向けて）突き出し形成されるとともに、前方に向けて爪部５６ａが突き出し設けられ、基部６０と一体的に連続して形成されている。
係止部位５６の爪部５６ａは、基部６０の略半分の幅を有する。そして、爪部５６ａの上面は、基台１２の前方において上方に向けて垂直に立設された係止部４０と係止するように、水平面の係合部５６ｂを形成している。
そして、スライド部材５０の係止部位５６を構成する爪部５６ａの高さは、操作レバー３２の下壁３２ｂの厚さ（上下方向の幅）より若干厚い高さを備えている。
このスライド部材５０の係止部位５６の長さは、操作部位５２の長さよりも短い。
すなわち、スライド部材５０の操作部位５２の突出部５２ａの先端（前方最先端）より、係止部位５６の爪部５６ａの先端（前方最先端）の方が、後方に位置するように形成されている。
【００２４】
基台１２に形成された係止部４０は、たとえば基台１２の一部に切れ目を形成し、切れ目を形成した部分を基台１２上に起こすことによって、垂直状に立設して形成される。そして、図８に示すように、係止部４０の胴部には貫通孔４０ａが形成され、貫通孔４０ａは、貫通孔４０ａ内にスライド部材５０の係止部位５６が出し入れ自在になるような大きさに形成される。この係止部４０は、貫通孔４０ａの上縁部に、スライド部材５０の係止部位５６を構成する係合部５６ｂの上面が係合するように構成されている。
【００２５】
この綴具１０では、操作レバー３２を、枢軸たる支持軸２８を中心として回動させて開閉することにより、バネ部材３０を介して挟持体２６を開閉させることができる。このとき、挟持体２６は、基台１２と略平行な状態で移動する。
挟持体２６を閉じた状態にするときには、図１１に示すように、挟持体２６が開いた状態（スライド部材５０の移動部位５４を構成する規制部５４ｂが操作レバー３２の下壁３２ｂに形成された引掛部３６に係合した状態）から、操作レバー３２を下方に押し下げられることによって、スライド部材５０の移動部位５４を構成する規制部５４ｂが基台１２の離脱摺動体３８の斜面部３８ｂに突き当たり、規制部５４ｂが操作レバー３２の下壁３２ｂに形成された引掛部３６より外れる。
操作レバー３２の下壁３２ｂを構成する引掛部３６によって規制されていた状態から離脱したスライド部材５０の移動部位５４は、元の状態に復元しようとする力（弾性）により、すなわち、移動部位５４を構成する突出部５４ａが縮もうとする力により、移動部位５４の移動部５４ｃが、操作レバー３２の下壁３２ｂに形成された摺動部３４の上面を摺動して前方斜面を滑り降りる。そして、図１２に示すように、スライド部材５０の移動部位５４の移動部５４ｃの移動にともなって、スライド部材５０全体が操作レバー３２の中空部内を前方に移動し、係止部位５６の爪部５６ａが基台１２に形成された係止部４０の貫通孔４０ａ内に嵌挿する。その状態で手を離せば、バネ部材３０の弾発力によって操作レバー３２の先端が上方に若干持ち上がり、係止部位５６の係合部５６ｂが係止部４０の貫通孔４０ａの上縁に係合する。
挟持体２６が閉じた状態において、バネ部材３０によって挟持体２６が基台１２側に付勢され、このバネ部材３０の力により、書類などの被綴じ物Ａを押圧して書類などの被綴じ物Ａが基台１２と挟持体２６との間に保持される。
【００２６】
また、挟持体２６を開いた状態にするときには、操作レバー３２のスライド部材５０の突出部５２ａを人が指で押すことにより、スライド部材５０の移動部位５４を構成する移動部５４ｃが、操作レバー３２の下壁３２ｂに形成された摺動部３４の斜面を摺動して上方に向けて上昇移動することにより、スライド部材５０の係止部位５６が基台１２の係止部４０より離脱する。
そして、スライド部材５０の係止部位５６を構成する爪部５６ａの後端縁が、操作レバー３２の下壁３２ｂの最先端（前方最端縁）に接する位置まで押し入れられると、スライド部材５０の移動部位５４を構成する突出部５４ａの弾性によって、規制部５４ｂが操作レバー３２の下壁３２ｂに形成された引掛部３６に係合する。
【００２７】
この綴じ具１０では、操作レバー３２を開閉することにより、バネ部材３０を介して、枢軸たる支持軸２８を中心に挟持体２６を開閉させることができる。挟持体２６が閉じた状態においては、バネ部材３０によって挟持体２６が基台１２側に付勢される。このバネ部材３０の力により、書類などの被綴じ物Ａを押圧して、書類などの被綴じ物Ａが基台１２と挟持体２６との間に保持される。また、操作レバー３２を起こすことにより、バネ部材３０を介して挟持体２６が開き、書類を取り外すことができる。なお、この綴じ具１０では、書類を挟むときに、書類の端部を揃えるために、基台１２からほぼ直交するようにして、前後一対の整列部材４６が形成される。これらの整列部材４６は、支持板１６，１８，２０と同様に、基台１２に切れ目を形成し、切れ目を形成した部分を基台１２上に起こすことによって形成される。この綴じ具１０は、基台１２に形成された貫通孔４８を通して、リベットなどによりファイルＢに取り付けられる。
【００２８】
スライド部材５０においては、図７に示すように、基部６０の略中央より、操作レバー３２の長手方向に延びる薄板状の抜け防止部６４が突き出し形成される。この抜け防止部６４の先端に形成された突部６４ａが、図６に示すように、操作レバー３２の左壁３２ｄの内側面に形成された凹部３２ｅ内を摺動するように形成されている。すなわち、スライド部材５０の基部６０および移動部位５４は、操作レバー３２の右壁３２ｃの内面に接合し、抜け防止部６４の突部６４ａは、操作レバー３２の左壁３２ｄの内面に接合している。そして、操作レバー３２の左壁３２ｄに向けて抜け防止部６４の突部６４ａが弾発されており、凹部３２ｅ内より抜け防止部６４の突部６４ａが抜け出ることがないように形成されている。
【００２９】
この発明は前記実施の形態に限らず、種々変更が可能である。
たとえば、スライド部材５０の係止部位５６は、爪部５６ａと係合部５６ｂとを備え、基台１２に形成された係止部４０の貫通孔４０ａに係合するように構成されたが、スライド部位５０の係止部位５６に貫通孔を形成し、基台１２の係止部４０に爪部５６ａと係合部５６ｂとを形成して、スライド部材５０の係止部位５６と基台１２の係止部４０とを係合させるように構成してもよい。
【００３２】
なお、図１などに示されている綴じ具１０では、スライド部材５０の操作部位５２に垂れ下がり部５２ｂが形成されており、操作レバー３２の上面に指を当てた状態で垂れ下がり部５２ｂを押すことにより、操作レバー３２の跳ね上がりを効果的に抑えることができるものである。しかしながら、操作レバー３２に指を当てずに、スライド部材５０を押すと、バネ部材３０によって操作レバー３２が開く方向に力が加わる。そのため、スライド部材５０の垂れ下がり部５２ｂに当てた指がすべり、操作レバー３２が跳ね上がる場合がある。
【００３３】
そこで、図１４〜図２３に示すように、スライド部材５０の垂れ下がり部５２ｂの端部、つまり操作部位５２の基台１２側端部に、突出片５２ｃを形成することが考えられる。この突出片５２ｃは、操作レバー３２の回動方向と交差する向きに突出するように形成される。つまり、突出片５２ｃは、操作レバー３２の長手方向に突出するように形成される。
【００３４】
このような突出片５２ｃを形成することにより、操作レバー３２の上面に指を当てない状態でスライド部材５０を押しても、突出片５２ｃに指が引っかかって、操作レバー３２が跳ね上がることを防止することができる。さらに、垂れ下がり部５２ｂの表面に、たとえば平行線状の凹凸部５２ｄを形成すれば、スライド部材５０を押すときに、指の滑りを防止することができる。もちろん、凹凸部５２ｄの形状としては、平行線状に限らず、曲線状やドット状などの形状にしても、指の滑りを防止する効果を得ることができる。
【図面の簡単な説明】
【図１】  この発明の一実施の形態である綴じ具の平面図である。
【図２】  図１図示綴じ具の背面図である。
【図３】  図１図示綴じ具の正面図である。
【図４】  図１図示綴じ具の右側面図である。
【図５】  図１図示綴じ具の要部の側面図である。
【図６】  （Ａ）は操作レバーの平面図解図であり、（Ｂ）は操作レバーの底面図解図である。
【図７】  スライド部材を示す図であり、（Ａ）はその底面図であり、（Ｂ）はその平面図であり、（Ｃ）はその正面図である。
【図８】  基台を示す図であり、（Ａ）はその正面図であり、（Ｂ）はその要部の断面図解図である。
【図９】  操作レバーを開いた状態を示す図であり、（Ａ）はその要部を断面とした図解図であり、（Ｂ）はその要部を断面とした図解図である。
【図１０】  挟持体を開いた状態を示す図解図であり、（Ａ）は挟持体を開く過程を示す図解図であり、（Ｂ）は挟持体を完全に開いた状態を示す図解図である。
【図１１】  （Ａ）、（Ｂ）、（Ｃ）は操作レバーを閉じる過程を示す一部を断面とした図解図である。
【図１２】  （Ａ）は操作レバーを閉じる過程を示す一部を断面とした図解図であり、（Ｂ）は挟持体を閉じた状態における操作レバーの状態を示す一部を断面とした図解図である。
【図１３】  この発明の一実施の形態である綴じ具の使用方法を示す斜視図解図である。
【図１４】  この発明の他の実施の形態である綴じ具の平面図である。
【図１５】 図１４図示綴じ具の背面図である。
【図１６】 図１４図示綴じ具の正面図である。
【図１７】 図１４図示綴じ具の右側面図である。
【図１８】 図１４に示す綴じ具に用いられるスライド部材を示す図であり、（Ａ）はその底面図であり、（Ｂ）はその平面図であり、（Ｃ）はその正面図である。
【図１９】 図１４に示す綴じ具の操作レバーを開いた状態を示す図であり、（Ａ）はその要部を断面とした図解図であり、（Ｂ）はその要部を断面とした図解図である。
【図２０】 図１４に示す綴じ具の挟持体を開いた状態を示す図解図であり、（Ａ）は挟持体を開く過程を示す図解図であり、（Ｂ）は挟持体を完全に開いた状態を示す図解図である。
【図２１】  （Ａ）、（Ｂ）、（Ｃ）は、図１４に示す綴じ具の操作レバーを閉じる過程を示す一部を断面とした図解図である。
【図２２】  （Ａ）は図１４に示す綴じ具の操作レバーを閉じる過程を示す一部を断面とした図解図であり、（Ｂ）は挟持体を閉じた状態における操作レバーの状態を示す一部を断面とした図解図である。
【図２３】 図１４に示す綴じ具の使用方法を示す斜視図解図である。
【図２４】  従来の綴じ具を示す斜視図解図である。
【符号の説明】
Ａ  被綴じ物
１０  綴じ具
１２  基台
１４  直立体
１６，１８，２０  支持板
２２，２４  支持アーム
２６  挟持体
２８  支持軸
３０  バネ部材
３２  操作レバー
３２ａ  操作レバーの上壁
３２ｂ  操作レバーの下壁
３２ｃ  操作レバーの右壁
３２ｄ  操作レバーの左壁
３２ｅ  凹部
３２ｆ  バネ止め
３４  摺動部
３６  引掛部
３８  離脱摺動体
３８ａ  離脱摺動体の垂直部
３８ｂ  離脱摺動体の斜面部
４０  係止部
４０ａ  貫通孔
４６  整列部材
４８  貫通孔
５０  スライド部材
５２  操作部位
５２ａ  スライド部材の突出部
５２ｂ  スライド部材の垂れ下がり部
５２ｃ  突出片
５２ｄ  凹凸部
５４  移動部位
５４ａ  移動部位の突出部
５４ｂ  移動部位の規制部
５４ｃ  移動部位の移動部
５６  係止部位
５６ａ  爪部
５６ｂ  係合部
６０  基部
６２ａ，６２ｂ  側面
６４  抜け防止部
６４ａ  突部
【図１】
0003759477.tif 000002
【図２】
0003759477.tif 000003
【図３】
0003759477.tif 000004
【図４】
0003759477.tif 000005
【図５】
0003759477.tif 000006
【図６】
0003759477.tif 000007
【図７】
0003759477.tif 000008
【図８】
0003759477.tif 000009
【図９】
0003759477.tif 000010
【図１０】
0003759477.tif 000011
【図１１】
0003759477.tif 000012
【図１２】
0003759477.tif 000013
【図１３】
0003759477.tif 000014
【図１４】
0003759477.tif 000015
【図１５】
0003759477.tif 000016
【図１６】
0003759477.tif 000017
【図１７】
0003759477.tif 000018
【図１８】
0003759477.tif 000019
【図１９】
0003759477.tif 000020
【図２０】
0003759477.tif 000021
【図２１】
0003759477.tif 000022
【図２２】
0003759477.tif 000023
【図２３】
0003759477.tif 000024
【図２４】
0003759477.tif 000025